(57)【要約】【課題】装置全体の回路部品のコストを低減させることができる画像形成装置を提供する。【解決手段】画像形成装置１は、画像読取部１１及び画像形成部１３を含み、外部機器１５と通信自在である。画像形成装置１は、電力を供給する電源回路３１と、電源回路３１の状態と、画像読取部１１又は画像形成部１３に関する制御指令と、に基づく制御を実行する制御部２１とが設けられている。制御指令は、外部機器１５から到来する外部コマンドの実行タイミングとは異なるタイミングに、一定周期で発行される内部コマンドの実行タイミングを調整する調整指示が含まれる。調整指示は、電源回路３１の少なくとも一部が待機状態に遷移している場合に実行される。【選択図】図１
2018091945.tif 000002
【特許請求の範囲】
【請求項１】
画像読取部と、画像形成部と、を備え、外部機器と通信自在な画像形成装置であって、
電力を供給する電源回路と、
前記電源回路の状態と、前記画像読取部又は前記画像形成部に関する制御指令と、に基づく制御を実行する制御部と、
を備え、
前記制御指令は、
前記外部機器から到来する外部コマンドの実行タイミングとは異なるタイミングに、一定周期で発行される内部コマンドの実行タイミングを調整する調整指示、
を含み、
前記調整指示は、
前記電源回路の少なくとも一部が待機状態に遷移している場合に実行されるものである、
画像形成装置。
【請求項２】
動作基準クロックに基づく前記内部コマンドの実行タイミングで制御される揮発性メモリと、
前記動作基準クロックとは異なる前記外部コマンドの実行タイミングで制御される外部インターフェースと、
をさらに備え、
前記電源回路は、
前記内部コマンドに基づき前記揮発性メモリに電力を供給し、又は
前記外部コマンドに基づき前記画像読取部及び前記画像形成部の少なくとも一方に電力を供給するものであり、
前記調整指示は、
前記外部インターフェースが動作状態にある場合、前記外部コマンドの実行タイミングと比べ、前記内部コマンドの実行タイミングを遅延させるものである、
請求項１に記載の画像形成装置。
【請求項３】
前記外部インターフェースの電流を検知する電流検知部と、
前記外部インターフェースの状態の判定に用いる電流閾値を記憶する記憶部と、
をさらに備え、
前記制御指令は、
前記電流検知部の検知結果と、前記記憶部に記憶される電流閾値と、に基づき、前記外部インターフェースの状態を判定する判定指示、
をさらに含み、
前記調整指示は、
前記判定指示により前記外部インターフェースの状態が動作状態であると判定される場合、前記内部コマンドの実行タイミングとして前記揮発性メモリのリフレッシュタイミングを遅延させるものであり、
前記揮発性メモリのリフレッシュタイミングは、
前記揮発性メモリのリフレッシュコマンドの実行タイミングを制御するものである、
請求項２に記載の画像形成装置。
【請求項４】
前記電流閾値は、
第１閾値と、
前記第１閾値よりも大きい第２閾値と、
を含み、
前記判定指示は、
前記電流検知部の検知結果が前記第１閾値及び前記第２閾値を超える場合、前記外部インターフェースの電流が増加傾向であって、且つ前記外部インターフェースの状態が動作状態にあると判定させるものである、
請求項３に記載の画像形成装置。
【請求項５】
前記リフレッシュコマンドは、
前記一定周期で負荷電流を前記揮発性メモリに流すものであり、
前記調整指示は、
前記内部コマンドが発行されてから前記揮発性メモリに前記負荷電流が流れるまでの間に、前記外部インターフェースの状態が動作状態にあると判定される場合、前記リフレッシュコマンドの実行を一時停止させるものである、
請求項３又は４に記載の画像形成装置。
【請求項６】
前記調整指示は、
前記外部インターフェースからの要求に基づく遅延量に応じて、前記リフレッシュタイミングを遅延させるものである、
請求項３から５の何れか一項に記載の画像形成装置。
【発明の詳細な説明】
【技術分野】
【０００１】
本発明は、画像形成装置に関する。
【背景技術】
【０００２】
従来、複数の抵抗発熱部等を加熱制御する場合、複数の通電パターンの中から通電期間の重なりが最も少ない通電パターンを選択する画像形成装置が提案されている（例えば、特許文献１参照）。また、データ受信用の複数の回路に供給されるクロックの位相をずらす電子装置も提案されている（例えば、特許文献２参照）。
【先行技術文献】
【特許文献】
【０００３】
【特許文献１】特開２０１１−２２１１０６号公報
【特許文献２】特開２０１３−１９１９３２号公報
【発明の概要】
【発明が解決しようとする課題】
【０００４】
しかし、特許文献１に記載の従来技術は、通電時の許容電流が考慮されてはいるものの加熱制御以外の制御に関する部材も含めて全体で消費電力を低下させるものではない。また、特許文献２に記載の従来技術は、データ受信用の複数の回路に流れる電流波形を互いにずらすものではあるもののデータ受信用の複数の回路以外の回路も含めて全体で消費電力を低下させるものではない。よって、全体では電流の重ね合わせにより最大ピーク電流値が増大する恐れがあるため、最大ピーク電流値に合わせた回路規模が必要となる。したがって、装置全体の回路部品のコストが増大する状況が生じている。
【０００５】
本開示はこのような状況に鑑みてなされたものであり、装置全体の回路部品のコストを低減させることができるようにするものである。
【課題を解決するための手段】
【０００６】
本開示の第１の側面である画像形成装置は、画像読取部と、画像形成部と、を備え、外部機器と通信自在な画像形成装置であって、電力を供給する電源回路と、前記電源回路の状態と、前記画像読取部又は前記画像形成部に関する制御指令と、に基づく制御を実行する制御部と、を備え、前記制御指令は、前記外部機器から到来する外部コマンドの実行タイミングとは異なるタイミングに、一定周期で発行される内部コマンドの実行タイミングを調整する調整指示、を含み、前記調整指示は、前記電源回路の少なくとも一部が待機状態に遷移している場合に実行されるものである。
【０００７】
画像形成装置は、電源回路の少なくとも一部が待機状態に遷移している場合、外部機器から到来する外部コマンドの実行タイミングとは異なるタイミングに、一定周期で発行される内部コマンドの実行タイミングを調整する。よって、外部コマンドの実行により生じる電流のピークと、内部コマンドの実行により生じる電流のピークとが同時に生じないため、互いの電流のピークが重なる可能性が生じない。つまり、待機状態の消費電流が平滑化されることになるため、最大ピーク電流値は低下する。したがって、最大ピーク電流値に合わせた最大定格電流の大きい回路が不要となるため、装置全体の回路部品のコストを低減させることができる。
【０００８】
また、動作基準クロックに基づく前記内部コマンドの実行タイミングで制御される揮発性メモリと、前記動作基準クロックとは異なる前記外部コマンドの実行タイミングで制御される外部インターフェースと、をさらに備え、前記電源回路は、前記内部コマンドに基づき前記揮発性メモリに電力を供給し、又は前記外部コマンドに基づき前記画像読取部及び前記画像形成部の少なくとも一方に電力を供給するものであり、前記調整指示は、前記外部インターフェースが動作状態にある場合、前記外部コマンドの実行タイミングと比べ、前記内部コマンドの実行タイミングを遅延させるものである、ことが好ましい。
【０００９】
また、前記外部インターフェースの電流を検知する電流検知部と、前記外部インターフェースの状態の判定に用いる電流閾値を記憶する記憶部と、をさらに備え、前記制御指令は、前記電流検知部の検知結果と、前記記憶部に記憶される電流閾値と、に基づき、前記外部インターフェースの状態を判定する判定指示、をさらに含み、前記調整指示は、前記判定指示により前記外部インターフェースの状態が動作状態であると判定される場合、前記内部コマンドの実行タイミングとして前記揮発性メモリのリフレッシュタイミングを遅延させるものであり、前記揮発性メモリのリフレッシュタイミングは、前記揮発性メモリのリフレッシュコマンドの実行タイミングを制御するものである、ことが好ましい。
【００１０】
また、前記電流閾値は、第１閾値と、前記第１閾値よりも大きい第２閾値と、を含み、前記判定指示は、前記電流検知部の検知結果が前記第１閾値及び前記第２閾値を超える場合、前記外部インターフェースの電流が増加傾向であって、且つ前記外部インターフェースの状態が動作状態にあると判定させるものである、ことが好ましい。
【００１１】
また、前記リフレッシュコマンドは、前記一定周期で負荷電流を前記揮発性メモリに流すものであり、前記調整指示は、前記内部コマンドが発行されてから前記揮発性メモリに前記負荷電流が流れるまでの間に、前記外部インターフェースの状態が動作状態にあると判定される場合、前記リフレッシュコマンドの実行を一時停止させるものである、ことが好ましい。
【００１２】
また、前記調整指示は、前記外部インターフェースからの要求に基づく遅延量に応じて、前記リフレッシュタイミングを遅延させるものである、ことが好ましい。
【発明の効果】
【００１３】
本開示の第１の側面によれば、装置全体の回路部品のコストを低減させることができる。
【図面の簡単な説明】
【００１４】
【図１】本開示を適用した実施形態１における画像形成装置１の基板１７に形成される制御構成の一例を示す図である。
【図２】実施形態１における最大定格電流が抑制される概念を直感的に説明する図である。
【図３】実施形態２における画像形成装置１の基板１７に形成される制御構成の一例を示す図である。
【図４】実施形態２における負荷電流をずらす概念を直感的に説明する図である。
【図５】実施形態２における最大定格電流が抑制される概念を直感的に説明する図である。
【図６】実施形態３における画像形成装置１の基板１７に形成される制御構成の一例を示す図である。
【図７】実施形態３における電源系統の一例を示す図である。
【図８】実施形態３における電源回路３１の状態遷移の一例を示す図である。
【図９】実施形態３における内部コマンドの実行タイミングの一例を示すタイミングチャートである。
【図１０】実施形態４における外部インターフェース４１の電流値の変化例を説明する図である。
【図１１】実施形態５における内部コマンドの実行タイミングの一例を示すタイミングチャートである。
【図１２】実施形態６における画像形成装置１の基板１７に形成される制御構成の一例を示す図である。
【図１３】実施形態６における内部コマンドの実行タイミングの一例を示すタイミングチャートである。
【発明を実施するための形態】
【００１５】
以下、図面に基づいて本開示の実施形態を説明するが、本開示は以下の実施形態に限られるものではない。
【００１６】
実施形態１．
図１は、本開示を適用した実施形態１における画像形成装置１の基板１７に形成される制御構成の一例を示す図である。図２は、実施形態１における最大定格電流が抑制される概念を直感的に説明する図である。画像形成装置１は、画像読取部１１と、画像形成部１３と、を備え、外部機器１５と通信自在である。画像読取部１１は、自動原稿送り装置により送り出される原稿をイメージセンサーにより順に読み取る。画像形成部１３は、露光装置、感光ドラム、現像装置、転写ベルト、及び定着装置を備え、画像読取部１１により読み取られた原稿の画像データに基づき、用紙に画像を形成する。基板１７は、外部機器１５との通信等により、画像読取部１１及び画像形成部１３を制御する。基板１７は、制御部２１及び電源回路３１等を備える。電源回路３１は、電流検知部３１ａ及び電力変換部３１ｂを備え、電力を供給する。電流検知部３１ａは、例えばホール素子又はシャント抵抗器等により実現され、外部インターフェース４１の電流を検知する。電力変換部３１ｂは、商用の交流電力を予め設定された直流電力に変換する。
【００１７】
制御部２１は、ＲＯＭ、ＲＡＭ、ＣＰＵ、及びＩ／Ｏインターフェース２１ａを備える。制御部２１は、ＣＰＵが例えば１個以上のプログラムを実行することにより、判定部２１ｂ及び電力管理部２１ｄ等の機能を実現する。制御部２１は、記憶部２１ｃを備え、記憶部２１ｃは、制御部２１内に設けられているＲＡＭ等により実現される。Ｉ／Ｏインターフェース２１ａは、制御部２１と、周辺機器とを接続させるインターフェースである。判定部２１ｂは、制御指令に含まれる判定指示により外部インターフェース４１の状態を判定する機能である。記憶部２１ｃは、外部インターフェース４１の状態の判定に用いる電流閾値が記憶される。電力管理部２１ｄは、省エネモードである待機状態への遷移を統合的に管理する機能である。
【００１８】
基板１７は、揮発性メモリ２３ａ及び外部インターフェース４１を備える。揮発性メモリ２３ａは、動作基準クロックに基づく内部コマンドの実行タイミングで制御される。外部インターフェース４１は、動作基準クロックとは異なる外部コマンドの実行タイミングで制御される。なお、外部コマンドはランダムに到来するものであるため、例えば動作基準クロックよりも短い周期の検知用クロック等により検知されるのが好ましい。電源回路３１は、内部コマンドに基づき揮発性メモリ２３ａに電力を供給する。電源回路３１は、外部コマンドに基づき画像読取部１１及び画像形成部１３の少なくとも一方に電力を供給する。なお、揮発性メモリ２３ａは、例えばＤＤＲ３のＲＡＭ、具体的にはＤＤＲ３−ＳＤＲＡＭである。外部インターフェース４１は、例えば、後述するＬＡＮインターフェース４１ａを含む。
【００１９】
具体的には、画像形成装置１が待機状態時、ＦＡＸ機能により画像形成装置１が起動する場合、画像形成装置１は、ＦＡＸ受信データを受け取る準備に移行するために素早い起動が求められる。よって、画像形成装置１は、揮発性メモリ２３ａに保持されているプログラムデータを用いていち早く起動を行うのが好ましい。揮発性メモリ２３ａは、プログラムデータを保持するために、上記で説明したように動作基準クロックに基づく一定周期でチップ内の各ブロックがリフレッシュされる。よって、揮発性メモリ２３ａのリフレッシュタイミングは制御可能なものである。一方、外部インターフェース４１は、ネットワーク接続確認をするためにｐｉｎｇによるＭＡＣアドレス格納テーブルへのアクセス及びその応答処理により、一時的に電流が消費されることがある。ｐｉｎｇの周期は、外部機器１５として接続されている複数の端末等がさまざまなタイミングでパケットを送信する。よって、例えばｐｉｎｇ等のような外部コマンドは、上記説明したようにランダムに到来するものであるため、制御不可能なタイミングで外部機器１５から到来する。
【００２０】
よって、従来であれば、外部インターフェース４１による応答処理と、揮発性メモリ２３ａのリフレッシュタイミングとが重なることにより、最大定格電流は増大することがあった。そこで、本開示においては、図１，２に示すように、外部インターフェース４１の電流を監視し、リフレッシュコマンドの位相をずらすことにより最大定格電流を平滑化させ、最大定格電流の増大を抑制している。具体的には、制御部２１は、電源回路３１の状態と、画像読取部１１又は画像形成部１３に関する制御指令と、に基づく制御を実行する。制御指令は、外部機器１５から到来する外部コマンドの実行タイミングとは異なるタイミングに、一定周期で発行される内部コマンドの実行タイミングを調整する調整指示が含まれる。調整指示は、電源回路３１の少なくとも一部が待機状態に遷移している場合に実行されるものである。
【００２１】
換言すれば、画像形成装置１は、電源回路３１の少なくとも一部が待機状態に遷移している場合、外部機器１５から到来する外部コマンドの実行タイミングとは異なるタイミングに、一定周期で発行される内部コマンドの実行タイミングを調整する。よって、外部コマンドの実行により生じる電流のピークと、内部コマンドの実行により生じる電流のピークとが同時に生じないため、互いの電流のピークが重なる可能性が生じない。つまり、待機状態の消費電流が平滑化されることになるため、最大ピーク電流値は低下する。したがって、最大ピーク電流値に合わせた最大定格電流の大きい回路が不要となるため、装置全体の回路部品のコストを低減させることができる。
【００２２】
実施形態２．
上記で説明したように、実施形態２のＬＡＮインターフェース４１ａは、実施形態１の外部インターフェース４１に含まれるものである。実施形態２では、実施形態１の調整指示をより具体的に説明する。図３は、実施形態２における画像形成装置１の基板１７に形成される制御構成の一例を示す図である。図４は、実施形態２における負荷電流をずらす概念を直感的に説明する図である。図５は、実施形態２における最大定格電流が抑制される概念を直感的に説明する図である。
【００２３】
図３の制御部２１により実行される調整指示は、電源回路３１の少なくとも一部が待機状態に遷移し、且つ外部インターフェース４１が動作状態にある場合、外部コマンドの実行タイミングと比べ、内部コマンドの実行タイミングを遅延させるものである。よって、図４，５で示すように、揮発性メモリ２３ａで生じる瞬間的な電流ピーク値の位相と、画像読取部１１及び画像形成部１３の少なくとも一方で生じる瞬間的な電流ピーク値の位相とがずれるため、揮発性メモリ２３ａの消費電流のピークと、外部インターフェース４１の消費電流のピークとが重ならない。よって、装置全体の消費電流を平滑化することができるため、装置全体の効率を向上させることができる。
【００２４】
実施形態３．
実施形態３では、実施形態１の調整指示及び実施形態２の判定指示をより具体的に説明する。図６は、実施形態３における画像形成装置１の基板１７に形成される制御構成の一例を示す図である。図７は、実施形態３における電源系統の一例を示す図である。図７に示すように、電力変換部３１ｂは、ＡＣ／ＤＣ変換部３１１、ＤＣ／ＤＣ変換部３１２ａ、ＤＣ／ＤＣ変換部３１２ｂ、及びＤＣ／ＤＣ変換部３１３を備える。ＡＣ／ＤＣ変換部３１１は、商用の交流電源を直流電源に変換する。ＡＣ／ＤＣ変換部３１１により変換された直流電力は、待機状態制御又は動作状態制御に利用される。待機状態制御に利用される場合、第１待機状態制御又は第２待機状態制御に利用される。ＤＣ／ＤＣ変換部３１２ａは、ＡＣ／ＤＣ変換部３１１により変換された直流電力を第１待機状態制御に適した直流電力に変換する。第１待機状態制御が行われる負荷は、例えば揮発性メモリ２３ａである。ＤＣ／ＤＣ変換部３１２ｂは、ＡＣ／ＤＣ変換部３１１により変換された直流電力を第２待機状態制御に適した直流電力に変換する。第２待機状態制御が行われる負荷は、例えばコピーするときに使用される画像読取部１１である。一方、ＤＣ／ＤＣ変換部３１３は、ＡＣ／ＤＣ変換部３１１により変換された直流電力を動作状態制御に適した直流電力に変換する。動作状態制御が行われる負荷は、例えば外部インターフェース４１である。図８は、実施形態３における電源回路３１の状態遷移の一例を示す図である。図８に示すように、電源回路３１は、電源がオフ状態となる遮断状態であるＴ０４、第２待機状態であるＴ０３、第１待機状態であるＴ０２、及び動作状態であるＴ０１の遷移状態があり、省エネモードにおいてはＴ０２又はＴ０３に電源回路３１の状態は遷移する。
【００２５】
図９は、実施形態３における内部コマンドの実行タイミングの一例を示すタイミングチャートである。図９の一例では、遅延間隔ｔだけ内部コマンドを遅延させることにより、外部インターフェース４１の負荷電流が発生後、揮発性メモリ２３ａの負荷電流を発生させている。つまり、電流検知部３１ａが検知する外部インターフェース４１の負荷電流に基づき、外部インターフェース４１の状態が動作状態であると判定されれば、内部コマンドを遅延させることにより、揮発性メモリ２３ａのリフレッシュを遅延させる。
【００２６】
具体的には、制御部２１により実行される判定指示は、電流検知部３１ａの検知結果と、記憶部２１ｃに記憶される電流閾値と、に基づき、外部インターフェース４１の状態を判定させるものである。よって、画像形成装置１は、外部インターフェース４１の電流の検知結果と、電流閾値とに基づき、外部インターフェース４１の状態が動作状態であると判定される場合、図９に示すように、内部コマンドの実行タイミングとして揮発性メモリ２３ａのリフレッシュタイミングを遅延させる。よって、外部インターフェース４１に到来した外部コマンドの応答処理のタイミングと、揮発性メモリ２３ａのリフレッシュタイミングとが重ならないため、最大定格電流が平滑化される。したがって、電源回路３１のコストを抑制しつつ、効率を向上させることができる。なお、揮発性メモリ２３ａのリフレッシュタイミングは、揮発性メモリ２３ａのリフレッシュコマンドの実行タイミングを制御するものである。
【００２７】
実施形態４．
実施形態４は、実施形態２の電流閾値をより具体的に説明する。図１０は、実施形態４における外部インターフェース４１の電流値の変化例を説明する図である。図１０に示すように、電流閾値は、第１閾値と、第２閾値とを含む。第２閾値は第１閾値よりも大きい値が設定されている。パターンＡは、外部インターフェース４１の電流値が、第１閾値及び第２閾値を超えるものである。つまり、パターンＡは、外部インターフェース４１の電流値が、増加傾向であり、且つ外部インターフェース４１が動作状態であるため、内部コマンドは遅延制御される。一方、パターンＢは、外部インターフェース４１の電流値が、第２閾値を下回る。つまり、パターンＢは、外部インターフェース４１の電流値が減少傾向であるため、内部コマンドの遅延制御は解除される。
【００２８】
具体的には、画像形成装置１は、外部インターフェース４１の電流の検知結果が第１閾値及び第２閾値を超える場合、外部インターフェース４１の電流が増加傾向であって、且つ外部インターフェース４１の状態が動作状態にあると判定する。つまり、電流閾値が２段階に設定されることにより、外部インターフェース４１の電流は、瞬間的にピーク値に到達する可能性があるか否かが判定される。したがって、外部インターフェース４１の状態を正確に想定できるため、適切なタイミングで内部コマンドを遅延させることができる。
【００２９】
実施形態５．
実施形態５では、実施形態１〜３の調整指示をより具体的に説明する。図１１は、実施形態５における内部コマンドの実行タイミングの一例を示すタイミングチャートである。図１１に示すように、内部コマンドが発行されてから外部インターフェース４１の負荷電流が発生する場合、制御停止コマンドにより揮発性メモリ２３ａの負荷電流が遅延制御される。具体的には、画像形成装置１は、内部コマンドが発行されてから揮発性メモリ２３ａに負荷電流が流れるまでの間に、外部インターフェース４１の状態が動作状態にあると判定する場合、リフレッシュコマンドの実行を一時停止する。つまり、制御不可能なタイミングで到来する外部コマンドの実行時、制御可能な内部コマンドに対応する応答を延期させる。よって、外部コマンドの実行時、制御停止コマンドでリフレッシュコマンドを実行させないことにより、リフレッシュコマンドの位相を確実にずらすことができる。
【００３０】
実施形態６．
実施形態６では、実施形態１〜３，５の調整指示をより具体的に説明する。図１２は、実施形態６における画像形成装置１の基板１７に形成される制御構成の一例を示す図である。図１２の一例においては、揮発性メモリ２３ａの他に、不揮発性メモリ２３ｂが基板１７に実装されている。不揮発性メモリ２３ｂは、制御部２１で実現される複数の機能の一つであるメモリ制御部２１ｅにより制御される。揮発性メモリ２３ａ及び不揮発性メモリ２３ｂを総称する場合、半導体メモリ２３と称する。また、外部インターフェース４１は、ＬＡＮインターフェース４１ａの他に、電話回線インターフェース４１ｂ及びＵＳＢインターフェース４１ｃが含まれる。ＬＡＮインターフェース４１ａは、外部コマンドとして印刷ＪＯＢが到来する。電話回線インターフェース４１ｂは、外部コマンドとしてＦＡＸの受信データが到来する。ＵＳＢインターフェース４１ｃは、マウントされるデバイスから各種データが到来する。
【００３１】
図１３は、実施形態６における内部コマンドの実行タイミングの一例を示すタイミングチャートである。図１３の一例では、外部インターフェース４１から制御部２１にリクエストがあったとき、揮発性メモリ２３ａの負荷電流が遅延される。具体的には、画像形成装置１は、外部インターフェース４１からの要求に基づく遅延量に応じて、リフレッシュタイミングを遅延する。よって、遅延量を適切に設定することにより、任意の実行タイミングにリフレッシュタイミングを設定することができる。なお、図１３の一例においては、外部インターフェース４１からのリクエストが矩形波で実現されている。また、この矩形波が立ち上がるときに揮発性メモリ２３ａのリフレッシュが実行されるように設定されている。よって、この矩形波を制御することにより遅延量を制御することができる。
【００３２】
以上、本開示の一側面である画像形成装置１を実施形態に基づいて説明したが、本開示はこれに限定されるものではなく、本開示の趣旨を逸脱しない範囲で、変更を加えてもよい。例えば、揮発性メモリ２３ａがＤＤＲ３のＲＡＭである一例について説明したが、特にこれに限定されるものではない。例えば、揮発性メモリ２３ａはＤＤＲ４のＲＡＭであってもよい。また、例えば、遅延量の制御例として矩形波を用いる一例について説明したが、特にこれに限定されるものではない。例えば、正弦波、三角波、及びのこぎり波等のような各種波形が可能である。
【００３３】
なお、上記説明したように、制御指令は、１個以上のプログラムである。すなわち、１個以上のプログラムは、外部機器１５から到来する外部コマンドの実行タイミングとは異なるタイミングに、一定周期で発行される内部コマンドの実行タイミングを調整する調整指示と、電流検知部３１ａの検知結果と、記憶部２１ｃに記憶される電流閾値と、に基づき、外部インターフェース４１の状態を判定する判定指示と、を含むものである。
【符号の説明】
【００３４】
１  画像形成装置、１１  画像読取部、１３  画像形成部、１５  外部機器、
１７  基板、２１  制御部、２１ａ  Ｉ／Ｏインターフェース、２１ｂ  判定部、
２１ｃ  記憶部、２１ｄ  電力管理部、２１ｅ  メモリ制御部、
２３  半導体メモリ、２３ａ  揮発性メモリ、２３ｂ  不揮発性メモリ、
３１  電源回路、３１ａ  電流検知部、３１ｂ  電力変換部、
３１１  ＡＣ／ＤＣ変換部、
３１２ａ，３１２ｂ、３１３  ＤＣ／ＤＣ変換部、
４１  外部インターフェース、４１ａ  ＬＡＮインターフェース、
４１ｂ  電話回線インターフェース、４１ｃ  ＵＳＢインターフェース、
Ａ，Ｂ  パターン、ｔ  遅延間隔
【図１】
2018091945.tif 000003
【図２】
2018091945.tif 000004
【図３】
2018091945.tif 000005
【図４】
2018091945.tif 000006
【図５】
2018091945.tif 000007
【図６】
2018091945.tif 000008
【図７】
2018091945.tif 000009
【図８】
2018091945.tif 000010
【図９】
2018091945.tif 000011
【図１０】
2018091945.tif 000012
【図１１】
2018091945.tif 000013
【図１２】
2018091945.tif 000014
【図１３】
2018091945.tif 000015